(57)【特許請求の範囲】
【請求項１】
鍵盤楽器本体と、
前記鍵盤楽器本体の演奏部のうち演奏者側（以下「前方側」と呼ぶ）を覆う前蓋と、
前記前蓋の非演奏者側（以下「後方側」と呼ぶ）に連結され、前記演奏部のうち後方側を覆う後蓋と、
前記鍵盤楽器本体に対し回動自在に取り付けられ、前記前蓋を、前記演奏部を覆う位置から前記演奏部の後方まで回動して導く前蓋アームと、
前記後蓋に設けられ、前記後方側から前記前方側に向かって延出された第１爪部と、
前記鍵盤楽器本体の内部から、前記鍵盤楽器本体の外部であって前記演奏部を覆っている前記後蓋の前記第１爪部と係合する位置まで、移動可能に構成され、前記前方側から前記後方側に向かって延出された第２爪部と、
前記鍵盤楽器本体の内部から前記第１爪部と係合する位置まで弾性力により前記第２爪部を移動させる弾性手段と、
を備え、
前記前蓋を開くと前記後蓋が前記後方側に移動して前記第１爪部と前記第２爪部との係合が解け、その後、前記前蓋アームが前記弾性手段の弾性力に逆らって前記第２爪部を押して前記鍵盤楽器本体の内部に移動させ、
一方、開かれた前記前蓋を閉じると、前記前蓋に連動して、前記後蓋が前記後方側から前記前方側に移動し、また、前記鍵盤楽器本体内の前記第２爪部が、前記第１爪部と係合可能な位置まで前記弾性手段の弾性力により移動し、前記後蓋が前記演奏部を覆う位置に達すると前記第１爪部と前記第２爪部とが係合することを特徴とする鍵盤楽器。
【請求項２】
請求項１に記載の鍵盤楽器において、
前記前蓋は、前記演奏部の後方に位置するとき、譜面台として機能することを特徴とする鍵盤楽器。
【請求項３】
請求項２記載の鍵盤楽器において、
前記後蓋は、前記演奏部の後方に位置するとき、前記前蓋の下方に配置され、譜面を支持する譜面支持台を備えることを特徴とする鍵盤楽器。
【発明の詳細な説明】
【０００１】
【発明の属する技術分野】
本発明は、鍵盤楽器の鍵盤蓋に関する。
【０００２】
【従来の技術】
本願出願人が出願した特開平2000-276130号公報に記載された鍵盤蓋１００は、図４に示すように、鍵盤２２０等が備えられた演奏部２００のうち演奏者側（前方側）を覆う前蓋１１０と、この前蓋１１０を鍵盤楽器３００に対して回動自在に支持する前蓋アーム１２０と、前蓋１１０の非演奏者側（後方側）に連結され、演奏部２００のうち非演奏者側（後方）を覆う後蓋１３０とが備えられている。この鍵盤蓋１００は、前蓋１１０を開くと、これに連動して後蓋１３０も鍵盤楽器３００の屋根の上を摺動して開くよう構成されている。
【０００３】
また、この鍵盤蓋１００には、図５に示すように、蓋ストッパ１４０，１４０が設けられている。この蓋ストッパ１４０，１４０は、前蓋１１０と後蓋１３０との連結部分近傍であって、前蓋１１０及び後蓋１３０の表面上に立設されている。このうち前蓋１１０に設けられた蓋ストッパ１４０は、後蓋１３０側に向かって先端がＬ字状に折り曲げられ、後蓋１３０に設けれた蓋ストッパ１４０は、前蓋１１０側に向かって先端がＬ字状に折り曲げられている。そしてこの蓋ストッパ１４０，１４０は、後蓋１３０の後方側が開けられたとき先端が互いに当接して、後蓋１３０が開くことを防止している。
【０００４】
【発明が解決しようとする課題】
しかし、この鍵盤蓋１００は、前蓋１１０を開ける際、前蓋１１０が後蓋１３０の上に折り畳まれる方向に折れまがるので、蓋ストッパ１４０，１４０の先端の間隔を、所定間隔だけ開けて設置する必要があった。そのため、この鍵盤蓋１００では、演奏部２００を覆っている後蓋１３０がなんらかの弾みで開いてしまうことがあった。あるいは、鍵盤楽器３００を運搬する際、後蓋１３０がバタバタ開いてしまう恐れがあった。
【０００５】
そこで、本発明は、演奏部を覆っているときには、後蓋を確実に閉めておくことができる鍵盤楽器を提供することを目的とする。
【０００６】
【課題を解決するための手段及び発明の効果】
上記課題を解決する請求項１記載に記載された鍵盤楽器は、
鍵盤楽器本体と、
前記鍵盤楽器本体の演奏部のうち演奏者側（以下「前方側」と呼ぶ）を覆う前蓋と、
前記前蓋の非演奏者側（以下「後方側」と呼ぶ）に連結され、前記演奏部のうち後方側を覆う後蓋と、
前記鍵盤楽器本体に対し回動自在に取り付けられ、前記前蓋を、前記演奏部を覆う位置から前記演奏部の後方まで回動して導く前蓋アームと、
前記後蓋に設けられ、前記後方側から前記前方側に向かって延出された第１爪部と、
前記鍵盤楽器本体の内部から、前記鍵盤楽器本体の外部であって前記演奏部を覆っている前記後蓋の前記第１爪部と係合する位置まで、移動可能に構成され、前記前方側から前記後方側に向かって延出された第２爪部と、
前記鍵盤楽器本体の内部から前記第１爪部と係合する位置まで弾性力により前記第２爪部を移動させる弾性手段と、
を備え、
前記前蓋を開くと前記後蓋が前記後方側に移動して前記第１爪部と前記第２爪部との係合が解け、その後、前記前蓋アームが前記弾性手段の弾性力に逆らって前記第２爪部を押して前記鍵盤楽器本体の内部に移動させ、
一方、開かれた前記前蓋を閉じると、前記前蓋に連動して、前記後蓋が前記後方側から前記前方側に移動し、また、前記鍵盤楽器本体内の前記第２爪部が、前記第１爪部と係合可能な位置まで前記弾性手段の弾性力により移動し、前記後蓋が前記演奏部を覆う位置に達すると前記第１爪部と前記第２爪部とが係合することを特徴とする。
【０００７】
この鍵盤楽器は、後蓋に設けられ、非演奏者側から演奏者側に向かって延出された第１爪部と、鍵盤楽器本体の外部であって演奏部を覆っている第１爪部と係合する位置に配置され、前方側から後方側に向かって延出された第２爪部とを備えている。そのため、前蓋を閉めるとき、前記後蓋が後方側に移動して後蓋が演奏部を覆う位置に達すると、第１爪部と第２爪部とが係合する。そのため、後蓋は、演奏部を覆っているとき、第１爪部と第２爪部とが係合して開くことはない。一方、この鍵盤楽器は、前蓋を開くと後蓋が後方側に移動し、その際、第１爪部と第２爪部との係合が解けるので、前蓋を開ければ自然に係合が解ける。
【０００８】
従って、この請求項１記載の鍵盤楽器を用いると、演奏部を覆っているときは、後蓋を確実に閉めておくことができる。またこの鍵盤蓋は、前蓋を開閉するだけで爪部と後蓋とを係合させたり、その係合を解いたりすることができる。
【０００９】
次に、請求項２記載の発明のように、前記前蓋は、前記演奏部の後方に位置するとき、譜面台として機能するよう構成してよい。
【００１０】
次に、請求項３記載の発明のように、前記後蓋は、前記演奏部の後方に位置するとき、前記前蓋の下方に配置され、譜面を支持する譜面支持台を備えてもよい。
【００１２】
【発明の実施の形態】
以下、本発明が適用された実施形態について説明する。
本実施形態の鍵盤蓋は、従来の技術の欄で説明した電子オルガン（鍵盤楽器）に用いられるものであり、鍵盤蓋以外の構成は従来の電子オルガンと変わらないので、その詳細な説明については省略する。そして、以下の説明では、鍵盤蓋以外の構成については、従来の技術の欄の説明で使用した符号を用いて説明する。
【００１３】
尚、以下の説明で利用する図面のうち、図１及び図２は、本実施形態の鍵盤蓋が取り付けられた電子オルガンの断面図であって、鍵盤蓋が設置された部分の拡大図である。そして図１は鍵盤蓋が閉じた様子を示し、図２は、鍵盤蓋が開いた様子を示している。
【００１４】
まず、電子オルガン３００の演奏部２００は、図４に示すように、非演奏者側（以下「後方側」と呼ぶ）から演奏者側（以下「前方側」と呼ぶ）に向かって斜めに下る演奏面２１０が形成されており、この演奏面２１０の後方側に各種スイッチ類（図示略）が設置され、前方側に前後２段の鍵盤２２０が設置されている。
【００１５】
本実施形態の鍵盤蓋１は、これら各種スイッチや鍵盤２２０が設置された演奏部２００を覆うものであり、図１に示すように、この演奏部２００のうち前方側を覆う板状の前蓋３と、演奏部２００のうち後方側を覆う板状の後蓋５とを備えている。
【００１６】
また、本実施形態の鍵盤蓋１は、電子オルガン３００の本体に対し回動自在に取り付けられた前蓋アーム７を備えており、前蓋３はこの前蓋アーム７に取り付けられている。具体的には、この前蓋アーム７は、一端側が、前蓋３の後方側端部の裏面に取り付けられ、他端側が、演奏部２００を閉じているときの前蓋３の後方側端部よりもさらに後方側の電子オルガン３００内に設置された回転軸７０に回動自在に取り付けられている。そして、この前蓋アーム７は、図２に示すように、回転軸７０（本発明の「回転軸」に相当する）を支点に回動して、演奏部２００を覆う位置から演奏部２００の後方側まで前蓋３を導いている。
【００１７】
次に、後蓋５は、図１に示すように、前蓋３の後方側端部にヒンジ４を介して連結されており、このヒンジ４は、具体的には、回転軸７０を支点に回動する前蓋３が、後蓋５の上に重ねられる方向に回動自在に連結されている。この後蓋５は、図１に示すように、前蓋３が演奏部２００を閉じているときは、前蓋３の後方側にあって、前蓋３と一枚板のように縦列に並べられて演奏部２００のうち後方側を覆って閉じる。そして、前蓋３を開けると、この後蓋５は、図２に示すように、ヒンジ４を介して後方側に押されて、電子オルガン３００の屋根上（本発明の摺動部に相当する）を摺動し、演奏部２００を覆う位置から演奏部２００より後方側の位置まで移動する。
【００１８】
次に、本実施形態の鍵盤蓋１は、後蓋５の後方側の端部の底面に、後方側から前方側に向かって延出された第１爪具５０を備えている。また、鍵盤蓋１が閉じられているときの第１爪具５０の下方の電子オルガン３００の内部には、Ｌ字状に形成された回転支持具９が設置されている。この回転支持具９は、一端側が、電子オルガン３００内に設置された回転軸９２に回転自在に取り付けられている。また、この回転支持具９は、その遊端側に第２爪具９０を備えており、この第２爪具９０が第１爪具５０に係合する位置に配置されるよう、回転支持具９を回転させるバネ９４が取り付けられている。この第２爪具９０は、具体的には、第１爪具５０に係合する位置に配置されたとき、前方側から後方側に延出された形状に形成されている。このように形成されているのは、電子オルガン３００の屋根に沿って前方側に向かって後蓋５を摺動させれば、第１爪具５０と第２爪具９０とが係合するため、前蓋３を閉じれば係合し、一方、後蓋５を電子オルガン３００の屋根に沿って後方側に向かって摺動させれば、第１爪具５０と第２爪具９０との係合が解けるため、前蓋３を開けるだけで係合が解けるからである。
【００１９】
次に、回転支持具９の第２爪具９０が設けられた辺９ａの前方側には、押出ボッチ９６が設けられている。前蓋３を開けたとき後方側に回動する前蓋アーム７はこの押出ボッチ９６を押し、バネ９４の弾性力に逆らって回転支持具９を回動させ、前蓋３を完全に開けたとき、図２に示すように、第２爪具９０が電子オルガン３００内に収納される位置まで回動させる。そして、第２爪具９０が電子オルガン３００内に収納される位置までくると、回転支持具９の第２爪具９０が設けられた辺９ａの後方側に回転支持具ストッパ９９が当接して、回転支持具９の回転が規制され、前蓋３はこの位置で固定される。このとき前蓋３は、電子オルガン３００の屋根の上方で、遊端側が後方側に傾いた状態で設置され、譜面台の役割をする。
【００２０】
次に、本実施形態の鍵盤蓋１は、後蓋５の前方側端部に譜面支持台６を備えている。この譜面支持台６は、前蓋３が開いたとき、前蓋３に対して略垂直になるよう後蓋５に取り付けられている。また前蓋アーム７には、前蓋３が開いたとき譜面支持台６を下方から支える支持ボッチ６０が設けられている。
【００２１】
以上のように構成された本実施形態の鍵盤蓋１の開閉動作について説明する。
本実施形態の前蓋３を上方に持ち上げると、前蓋アーム７とともに前蓋３が回動する。これに連動して、後蓋５は後方に摺動する。その後、前蓋アーム７が完全に開くと、回転支持具９の第２爪具９０が設けられた辺９ａの後方側に回転支持具ストッパ９９が当接して、前蓋アーム７は回転支持具９に回転が規制され、鍵盤蓋１はその位置で固定される。このとき、回転支持具９は、第２爪具９０が鍵盤オルガン３００内に収納される位置まで回動する。
【００２２】
一方、開かれた前蓋３を閉じると、これに連動して、後蓋１２は前方に向かって摺動する。このとき電子オルガン３００内に収納されていた第２爪具９０が、第１爪具５０と係合可能な位置までバネ９４の弾性力により回動する。そして後蓋５が演奏部２０の後部を閉じる位置に達すると、第１爪具５０が第２爪具９０に係合して、後蓋１２が完全に閉じられる。
【００２３】
以上詳述したように、本実施形態の鍵盤蓋１を用いると以下のような効果がある。
まず、本実施形態の鍵盤蓋１を用いると、鍵盤蓋１が閉じているときは、後蓋５を確実に閉じておくことができ、しかも前蓋３を開閉するだけで第１爪具５０と第２爪具９０とを係合させたり、その係合を解いたりすることができる。
【００２４】
また、鍵盤蓋１が開いているときは、第２爪具９０を電子オルガン３００内に収納しているので、電子オルガン３００の美観を損ねることがない。
尚、本発明の実施の形態は、上記実施形態に何ら限定されるものではなく、本発明の技術的範囲に属する限り種々の形態を採り得ることはいうまでもない。
【００２５】
例えば、本実施形態では、第２爪具９０を回動自在な回転支持具９の先端に設けたが、図３に示すように、第２爪具９０は、電子オルガン３００に対して固定された支持具９８の先端に設けてもよい。
【図面の簡単な説明】
【図１】  本実施形態の鍵盤蓋が取り付けられた電子オルガンの断面図であって、鍵盤蓋が設置された部分の拡大図で、鍵盤蓋が閉じた様子を示している。
【図２】  本実施形態の鍵盤蓋が取り付けられた電子オルガンの断面図であって、鍵盤蓋が設置された部分の拡大図で、鍵盤蓋が開いた様子を示している。
【図３】  本実施形態の変形例を説明する説明図で、鍵盤蓋が設置された部分の拡大図である。
【図４】  従来の電子オルガンを側面から見た構造図である。
【図５】  従来の電子オルガンの断面図であって、鍵盤蓋が設置された部分の拡大図である。
【符号の説明】
１…鍵盤蓋、３…前蓋、４…ヒンジ、５…後蓋、７…前蓋アーム、９…回転支持具、５０…第一爪具、７０…回転軸、９０…第２爪具、９２…回転軸、９４…バネ、９６…押出ボッチ、２００…演奏部、３００…電子オルガン
【図１】
0003815999.tif 000002
【図２】
0003815999.tif 000003
【図３】
0003815999.tif 000004
【図４】
0003815999.tif 000005
【図５】
0003815999.tif 000006